(57)【要約】【課題】デジタルあるいは連続印刷された中本内に正確な頁位置で添付物を挿入することを可能にし、印刷紙葉に対して添付物を正確に配置し得るような方法ならびに装置を提供する。【解決手段】未綴じの中本（９）を形成するために印刷紙構造体と添付物（７，８）を丁合路（１４）上で選択的に丁合する。継続的に周回する推進装置（１６）の規則的な間隔で連続する受容部（１５）に印刷紙構造体をそれぞれ供給する複数のフィーダ（１２）が前記丁合路（１４）に沿って配置され、前記丁合路（１４）に沿った推進装置（１６）の受容部（１５）に対して連続的に印刷された印刷紙構造体をデジタル印刷機（１）と結合された少なくとも１台のフィーダ（１２）を介して個別頁紙および／または部分積み重ねブロック（４，５，６）として供給する。【選択図】図１
2011079312.tif 000002
【特許請求の範囲】
【請求項１】
未綴じの中本（９）を形成するために印刷紙構造体と添付物（７，８）を丁合路（１４）上で選択的に丁合するものであって継続的に周回する推進装置（１６）の規則的な間隔で連続する受容部（１５）に印刷紙構造体をそれぞれ供給する複数のフィーダ（１２）が前記丁合路（１４）に沿って配置される、１枚あるいは複数枚の紙葉からなる印刷紙構造体と折り込み添付物（７，８）とから形成される例えば中本、書籍、パンフレット、あるいは雑誌等の印刷製品を製造する方法であり、前記丁合路（１４）に沿った推進装置（１６）の受容部（１５）に対して連続的に印刷された印刷紙構造体をデジタル印刷機（１）と結合された少なくとも１台のフィーダ（１２）を介して個別頁紙および／または部分積み重ねブロック（４，５，６）として供給することを特徴とする方法。
【請求項２】
部分積み重ねブロック（４，５，６）が個別頁紙および／または折り畳まれた印刷紙葉から形成されることを特徴とする請求項１記載の方法。
【請求項３】
推進装置（１６）あるいは１個の受容部（１５）に対して印刷製品を形成するために少なくとも２体の個別頁紙および／または部分積み重ねブロック（４，５，６）がいずれも１台のフィーダ（１２）を介して供給されることを特徴とする請求項１または２記載の方法。
【請求項４】
少なくとも部分的に形成された中本（９）に対して２体の個別頁紙および／または部分積み重ねブロック（４，５，６）の間に少なくとも１体の添付物（７，８）が供給されることを特徴とする請求項３記載の方法。
【請求項５】
個別頁紙および／または部分積み重ねブロック（４，５，６）が丁合路（１４）に沿って少なくとも部分的に形成された中本（９）に対してそれぞれ１台のフィーダ（１２）を介して供給されることを特徴とする請求項１ないし４のいずれかに記載の方法。
【請求項６】
添付物（７，８）が丁合路（１４）上で部分的に形成された中本（９）の上面に供給されることを特徴とする請求項１ないし５のいずれかに記載の方法。
【請求項７】
添付物（７，８）が部分的に形成された中本（９）の上面に粘着式に載置されることを特徴とする請求項６記載の方法。
【請求項８】
デジタル印刷システム（２２）から添付物（７，８）が少なくとも部分的に形成された中本（９）に対して供給されることを特徴とする請求項１ないし７のいずれかに記載の方法。
【請求項９】
完全な中本（９）が無線綴じ、コイル綴じ、針綴じまたは糸綴じされることを特徴とする請求項１ないし８のいずれかに記載の方法。
【請求項１０】
フィーダ（１２）に沿って規則的な間隔で連続していてフィーダ（１２）によって印刷紙構造体と添付物（７，８）が装填される受容部（１５）を備えてなり丁合路（１４）を構成するものである継続的に周回する推進装置（１６）からなる丁合機を有する、１枚あるいは複数枚の紙葉からなる印刷紙構造体と折り込み添付物（７，８）とからなる例えば中本、書籍、パンフレット、あるいは雑誌等の印刷製品を製造する装置であり、連続的に印刷される２体の個別頁紙および／または部分積み重ねブロック（４，５，６）の間にデジタル印刷機（１）から推進装置（１６）あるいは受容部（１５）に対して添付物（７，８）を供給する少なくとも１台のフィーダ（１２）が配置されることを特徴とする装置。
【請求項１１】
個別頁紙および／または部分積み重ねブロック（４，５，６）が転轍器（１０）を介してフィーダ（１２）に対して供給されることを特徴とする請求項１０記載の装置。
【請求項１２】
個別頁紙および／または部分積み重ねブロック（４，５，６）が独立した搬送路（１１）上でフィーダ（１２）に対して供給されることを特徴とする請求項１０記載の装置。
【発明の詳細な説明】
【技術分野】
【０００１】
この発明は、未綴じの中本を形成するために印刷紙構造体と添付物を丁合路上で選択的に丁合するものであって継続的に周回する推進装置の規則的な間隔で連続する受容部に印刷紙構造体をそれぞれ供給する複数のフィーダが丁合路に沿って配置される、１枚あるいは複数枚の紙葉からなる印刷紙構造体と折り込み添付物とから形成される例えば中本、書籍、パンフレット、あるいは雑誌等の印刷製品を製造する方法に関する。
【背景技術】
【０００２】
中本、書籍、電話帳、文庫本、あるいは雑誌等の綴じ付けられた印刷製品の製造に際して通常第１の工程において印刷紙葉あるいは個別紙葉等の多様な予加工品を製造し、その後それらを丁合機によって未綴じの中本に丁合し、さらに無線綴じ、針金あるいは糸綴じによって綴付け、また必要に応じて表紙を装着する。追加的に丁合中に返答カード、ＣＤ／ＤＶＤ、挿し絵紙、または綴じ込み袋等の平坦な製品を緩やかあるいは接着式でページあるいは紙葉に合わせて印刷製品内に添付することができる。
【０００３】
同様に、１本のロールから中本の全頁を連続的に印刷し未綴じの中本に重ね合わせその後ライン内に後方接続された綴付け装置内で綴じ付けるデジタル印刷機も知られている。ペーパウェブは通常印刷紙葉よりも複数倍幅広であり、そのため印刷後に帯状に縦方向に裁断されるか縦方向に折り畳まれ、それによって最後に横方向に裁断してそれによって形成された印刷紙葉を必要に応じて折り畳んで最終的な未綴じの中本に積み重ねることが可能になる。このように製造される未綴じの中本は折り畳みあるいは裁断の仕方に応じて個別紙葉あるいは折り畳まれた印刷紙葉から形成される。他方、既に定型に裁断された個別紙葉を印刷して上述したように未綴じの中本に積み重ねることもできる。そのように製造された中本の頁間に添付物を挿入するために未綴じあるいは綴じられた状態でフィンによって中本を開きその後開口部内に添付物を挿入することが知られているが、この方式には印刷製品が正確な頁あるいは紙葉位置では開かれず従って添付物を特定の箇所に挿入することができないという難点がある。
【０００４】
欧州特許出願公開第１５５９５７３号Ａ１明細書によって、印刷機内において頁紙あるいは印刷紙葉に対して積み重ねの前に添付物を供給し、その際に添付物を頁紙あるいは印刷紙葉上に接合させるかまたは接着剤あるいは静電気合着等の結合手段によって結合し得るようにすることが提案されている。この方法によれば添付物を正確な紙葉あるいは頁位置に挿入することが可能である。しかしながら、積み重ね工程中に印刷紙葉あるいは積重ね体に対して添付物がずれる危険性がある。
【先行技術文献】
【特許文献】
【０００５】
【特許文献１】欧州特許出願公開第１５５９５７３号Ａ１明細書
【発明の概要】
【発明が解決しようとする課題】
【０００６】
従って本発明の目的は、デジタルあるいは連続印刷された中本内に正確な頁位置で添付物を挿入することを可能にし、印刷紙葉に対して添付物を正確に配置し得るような方法ならびに装置を提供することである。
【課題を解決するための手段】
【０００７】
前記の課題は、丁合路に沿った推進装置の受容部に対して連続的に印刷された印刷紙構造体をデジタル印刷機と結合された少なくとも１台のフィーダを介して個別頁紙および／または部分積み重ねブロックとして供給することによって解決される。デジタル印刷機に代えて連続的に印刷された部分積み重ねブロックを製造することができるベルト型印刷装置等のその他の印刷機を使用することもできる。
【０００８】
次に、添付図面ならびに複数の実施例を参照し、また前述した従来の技術を引用しながら本発明についてより詳細に説明する。図中には説明中で言及されない細部も含まれている。
【図面の簡単な説明】
【０００９】
【図１】デジタル印刷機に対して重複積み重ね装置が後置接続された本発明に係る装置を示した概略構成図である。
【図２】デジタル印刷機に対して個別積み重ね装置が後置接続された本発明に係る装置を示した概略構成図である。
【図３】折り畳み装置を備えたデジタル印刷機に対して複数の積み重ね装置が後置接続された本発明に係る装置を示した概略構成図である。
【図４】並列接続された複数のデジタル印刷機に対してそれぞれ１台の積み重ね装置が後置接続された本発明に係る装置を示した概略構成図である。
【図５】デジタル印刷機に対して重複積み重ね装置が後置接続された図４からの変更例である装置を示した概略構成図である。
【発明を実施するための形態】
【００１０】
図１には、少なくとも１台のデジタル印刷機１によって印刷されその後綴じ付けられる、中本、書籍、電話帳、文庫本、あるいは雑誌等の製品を製造するための装置が概略的に示されている。デジタル印刷機１としては印刷紙構造体の頁から頁へ連続的に印刷しその際頁内容を電子的に記録されたデータの形式で供給することができる印刷機が理解される。図示された実施例においてはロールから引き出されたペーパウェブ２がデジタル印刷機１によって印刷され、印刷後に４本の同じ幅の帯体になるよう縦方向に裁断され、さらにそれらの帯体を横方向に裁断して断片にし、それらの断片を積重ね装置３内でいずれも個別頁紙および／または部分積重ねブロック４，５，６に丁合する。この方式によって適正な順序で印刷された個別頁紙からなる特定のタイプの４冊の同一の部分積重ねブロック４，５，６が一まとめに製造される。その後同タイプあるいは別タイプの４冊の同一の部分積重ねブロック４，５，６が同様な方式で印刷され積み重ねられる。このことは全ての部分積重ねブロック４，５，６の一群がそれぞれ印刷され積み重ねられるまで継続され、その際異なった部分積重ねブロック４，５，６の一群の数が丁合路１４上を推進される未完成の中本内に添付物７，８が挿入される位置の数よりも１つ多くなるようにする。この実施例においては３冊の異なった部分積重ねブロック４，５，６の間に２種類の添付物７，８が挿入される。完成した部分積重ねブロック４，５，６が推進方向Ｆにおいて転轍器１０に供給され、それによってそれらの積重ねブロック４，５，６用に設けられた搬送路１１に方向転換される。搬送路１１上で部分積重ねブロック４，５，６は既に供給方向Ｚにおいて搬送路１１の末端に存在している部分積重ねブロック４，５，６に続いて搬送されその上に積み重ねられる。フィーダ１２を形成する同期化装置１３が丁合方向Ｓに向かって継続的に動作する推進装置１６の一定間隔で連続する受容部１５を備えた丁合路１４に部分積重ねブロック４，５，６を同期的に移送する。受容部１５は例えばチェーン等の周回式の牽引手段１７上に固定された駆動体１８によって形成され、それが未綴じの中本９を丁合工程中およびその後に丁合路内で推動する。しかしながら受容部１５は、部分積み重ねブロック４，５，６を載置する周回式の台、部分積み重ねブロック４，５，６を挟み付けるクランプ、あるいは開いた部分積み重ねブロック４，５，６を馬乗り状に載置する丁合綴じ機のサドル形状の推進チェーンとしても同様に好適に形成することができる。
【００１１】
１枚あるいは複数枚の印刷紙構造体と挿入された添付物７，８とからなる中本、パンフレット、雑誌等の印刷製品を製造するために丁合路１４に沿って部分積み重ねブロック４，５，６および添付物７，８をそれぞれ供給する別のフィーダ１２および添付物フィーダ１９が配置される。未綴じの中本９を製造するために丁合路１４上で前記の部分積み重ねブロック４，５，６と添付物７，８が選択的に丁合され、その際印刷製品を形成するために推進装置１６もしくは受容部１５に対して少なくとも２体の個別頁紙および／または部分積み重ねブロック４，５，６がそれぞれ１台のフィーダ１２を介して供給される。少なくとも２体の個別頁紙および／または部分積み重ねブロック４，５，６を挿入するフィーダ１２の間で添付物フィーダ１９を使用して少なくとも１体の添付物７，８が少なくとも部分的に形成された中本９に対していずれか１体の部分積み重ねブロック４，５，６の上面に挿入される。添付物７，８を後に綴付け装置２０内で中本９に綴じ込む必要がある場合は、それらを部分的に形成された中本９のいずれか１体の部分積み重ねブロック４，５，６の上面上に未固定で載置することができる。添付物７，８を部分的に形成された中本９のいずれか１体の部分積み重ねブロック４，５，６の平坦な上面内に固定する必要がある場合、添付物７，８を前記表面上に粘着式に載置することができる。
【００１２】
そのため添付物７，８は粘着剤あるいは接着剤によって前記部分的に形成された中本９上に固定するかまたは静電方式によって暫定的に前記部分的に形成された中本９と結合することができる。フィーダ１２のうちの少なくとも１台がデジタル印刷機１内で連続的に印刷された印刷構造体を個別頁紙および／または部分積み重ねブロック４，５，６として丁合路１４に沿って推進装置１６の受容部１５に対して誘導する。各受容部１５はフィーダ１２と添付物フィーダ１９に沿った移動中にそれらのフィーダ１２および添付物フィーダ１９のそれぞれによって適宜な順序でいずれも１体の部分積み重ねブロック４，５，６あるいは添付物７，８が装填され、従って各受容部１５が推進装置１６の終端において完全な未綴じの中本９を含み、それが後加工のために綴付け装置２０に移送されそこで完全な中本９が無線綴じ、コイル綴じ、または針あるいは糸綴じされる。工程の制御ならびに調節のために制御装置２４が導線２５を介してデジタル印刷機１、転轍器１０、ならびにフィーダ１２、推進装置１６、および綴付け装置２０を備えた搬送路１１と結合されている。中央制御装置２４に代えて導線２５を介して互いに接続された複数の制御装置を設けることもできる。
【００１３】
図１示された印刷機１と異なって図２に示されたシステムのデジタル印刷機１は１台の積重ね装置３のみを備え、その中で連続的に個別の部分積み重ねブロック４，５，６が形成されてその後転轍器１０によって適宜に分別してフィーダ１２に分配され、その後の丁合プロセスは前述したプロセスと同様に進行する。
【００１４】
図３に示されている１台のデジタル印刷機１を備えたシステムにおいては印刷されたペーパウェブ２が折畳み装置２１内で縦および／または横方向に折り畳んで裁断され、折り畳まれた印刷紙葉が転轍器１０を介して誘導され特定の部分積み重ねブロック４，５，６に対して割り当てられた積重ね装置３内で部分積み重ねブロック４，５，６に積み重ねられる。後続の作業は前述したものと同様である。
【００１５】
図４には複数のフィーダ１２を介して複数のデジタル印刷機１の部分積み重ねブロック４，５，６が装填される推進装置１６が示されており、その際各デジタル印刷機１がそれぞれ１つのタイプの部分積み重ねブロック４，５，６を製造する。後続の作業は前述したものと同様である。
【００１６】
図５に示された別の方式によれば、デジタル印刷システム２２によって製造された添付物７，８を少なくとも部分的に形成された中本９にフィーダ１２を介して供給することができる。追加的に、従来の例えばオフセット方式によって製造された印刷紙葉を供給するための給紙装置２３を丁合路１４に沿って任意の場所に配置することができる。このことによって変動的な印刷形態を有する紙葉をライン内においてデジタル方式で印刷しその他の紙葉種類はより高速の従来の印刷機によって（予め）製造できるという利点がもたらされる。
【符号の説明】
【００１７】
１  デジタル印刷機
２  ペーパウェブ
３  積重ね装置
４，５，６  部分積重ねブロック
７，８  添付物
９  中本
１０  転轍器
１１  搬送路
１２  フィーダ
１３  同期化装置
１４  丁合路
１５  受容部
１６  推進装置
１７  牽引手段
１８  駆動体
１９  添付物フィーダ
２０  綴付け装置
２１  折畳み装置
２２  印刷システム
２３  給紙装置
２４  制御装置
２５  導線
【図１】
2011079312.tif 000003
【図２】
2011079312.tif 000004
【図３】
2011079312.tif 000005
【図４】
2011079312.tif 000006
【図５】
2011079312.tif 000007